(57)【要約】【課題】感光性記録媒体自体の情報を簡単に知ることができて、他の感光性記録媒体から識別することができるようにするとともに、しかも感光性記録媒体の回転にディスクインバランスが生じないような感光性記録媒体を提供する。【解決手段】中心部に中心穴をあけた円板形状の支持体上に感光性材料からなるホログラム記録層が層設された感光性記録媒体であって、前記中心穴の縁側近傍に前記中心穴を囲むように３６０度に亘って延びるクランプエリアと、前記クランプエリアから所定距離をおいて前記クランプエリアを囲むように３６０度に亘って延びる記録エリアと、を有する感光性記録媒体において、前記記録エリアと前記記録媒体外縁との間にある非記録領域にＲＦＩＤ２００（Radio Frequency Identification）を埋設した。【選択図】図１
2007087522.tif 000002
【特許請求の範囲】
【請求項１】
中心部に中心穴をあけた円板形状の支持体上に感光性材料からなるホログラム記録層が層設された感光性記録媒体であって、前記中心穴の縁側近傍に前記中心穴を囲むように３６０度に亘って延びるクランプエリアと、前記クランプエリアから所定距離をおいて前記クランプエリアを囲むように３６０度に亘って延びる記録エリアと、を有する感光性記録媒体において、前記記録エリアと前記記録媒体外縁との間にある非記録領域にＲＦＩＤ（Radio Frequency Identification）を埋設したことを特徴とする感光性記録媒体。
【請求項２】
前記領域に凹部を設け、前記凹部内にＲＦＩＤ（Radio Frequency Identification）を埋設したことを特徴とする請求項１記載の感光性記録媒体。
【請求項３】
前記ＲＦＩＤの埋設された残りの空間の少なくとも一部を樹脂で封止したことを特徴とする請求項２記載の感光性記録媒体。
【請求項４】
前記封止用の樹脂の比重は、感光性記録媒体の素材の比重よりも小さいことを特徴とする請求項３記載の感光性記録媒体。
【請求項５】
前記凹部の形成に除去された前記感光性記録媒体の質量が、前記ＲＦＩＤの質量と前記凹部を封止している前記樹脂の質量との和にほぼ等しいことを特徴とする請求項４記載の感光性記録媒体。
【請求項６】
前記中心穴を中心として前記凹部の反対側にディスクインバランス調整用の錘を設けたことを特徴とする請求項４記載の感光性記録媒体。
【請求項７】
円板状記録媒体を回転自在に収容できて前記円板状記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、を備える感光性記録媒体用カートリッジの中に請求項１〜６のいずれか１項記載の感光性記録媒体を収納したことを特徴とする感光性記録媒体用カートリッジ。
【請求項８】
前記カートリッジ本体の内部に別のＲＦＩＤを備えたことを特徴とする請求項７記載の感光性記録媒体用カートリッジ。
【請求項９】
前記感光性記録媒体用カートリッジを収納して、前記シャッタを開放して前記ディスクを回転させながら前記記録層の記録再生を行う感光性記録媒体用記録再生装置において、前記ＲＦＩＤに近接させて前記ＲＦＩＤの読み取り装置を設置したことを特徴とする感光性記録媒体用記録再生装置。
【発明の詳細な説明】
【技術分野】
【０００１】
本発明は、データをホログラムによって記録するホログラム記録媒体、すなわち、感光性記録媒体およびその記録再生装置に関する。
【背景技術】
【０００２】
データをホログラムによって記録するホログラム記録媒体が発明されている。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われ、そのカートリッジは、カートリッジ本体とシャッタ部材とシャッタカバーとを備えて構成されたものが知られている。
【０００３】
このようなホログラム記録媒体を収容するカートリッジについて、記録されたソフトウェアを不正にコピーした模倣品と識別でき、いわゆる海賊版の使用を防止するため、模倣品に対して真正品であることを識別するできるシステムが開示されている（特許文献１）。
【０００４】
一方、感光性記録媒体のディスクではないが、ＤＶＤディスクの場合、ディスク基板の中心孔周囲の表面に、中心孔の孔縁と所定の間隔をあけて情報をピットとして記憶する反射膜を形成し、アンテナから送信された特定周波数の電波に共振するＲＦＩＤが中心孔の孔縁と反射膜の内縁との間のディスク基板の内部に設けて、光ディスクの無断持出しを有効に防止する発明が知られている（特許文献２）。
【０００５】
【特許文献１】特開平９−２１３０５３号公報
【特許文献２】特開２００１−２１００５７号公報
【発明の開示】
【発明が解決しようとする課題】
【０００６】
しかし、特許文献１記載のの磁気ディスクカートリッジは識別部材を光センサで検知する構成であるが、ホログラム記録媒体では、記録時にデータをレーザ光の干渉縞として感光性材料からなるホログラム記録層に照射するためドライブの記録部で遮光された環境となるので、光センサにより識別部材を検知する構成を適用することが困難である。
また、特許文献２記載の発明は、感光性のディスクではないが、そのディスク内側にＲＦＩＤを設けることを開示している。しかしながら、ＲＦＩＤをディスクに設けることに起因するディスクインバランスについては全く考慮されていない。そして、感光性記録媒体の場合は高密度記録であるので、他のディスクでは要求の求められなかったディスクインバランスが将来問題となることに本出願人は着目した。
【０００７】
本発明は、上記事情に鑑みてなされたもので、感光性記録媒体自体の情報を簡単に知ることができて、他の感光性記録媒体から識別することができるようになると共に、読み取り装置の設置位置がディスクの表裏どちら側に置いても、スピンドルモータが邪魔とならないようにして、記録再生装置におけるＲＦＩＣ読み取り装置の設置位置の自由度がひろがるような感光性記録媒体およびその記録再生装置を提供することにある。
【課題を解決するための手段】
【０００８】
上記目的を達成するため、請求項１記載の発明は、感光性記録媒体に係り、中心部に中心穴をあけた円板形状の支持体上に感光性材料からなるホログラム記録層が層設された感光性記録媒体であって、前記中心穴の縁側近傍に前記中心穴を囲むように３６０度に亘って延びるクランプエリアと、前記クランプエリアから所定距離をおいて前記クランプエリアを囲むように３６０度に亘って延びる記録エリアと、を有する感光性記録媒体において、前記記録エリアと前記記録媒体外縁との間にある非記録領域にＲＦＩＤ（Radio Frequency Identification）を埋設したことを特徴としている。
【０００９】
請求項２記載の発明は、請求項１記載の感光性記録媒体において、前記領域に凹部を設け、前記凹部内にＲＦＩＤ（Radio Frequency Identification）を埋設したことを特徴としている。
【００１０】
請求項３記載の発明は、請求項２記載の感光性記録媒体において、前記ＲＦＩＤの埋設された残りの空間の少なくとも一部を樹脂で封止したことを特徴としている。
【００１１】
請求項４記載の発明は、請求項３記載の感光性記録媒体において、前記封止用の樹脂の比重は、感光性記録媒体の素材の比重よりも小さいことを特徴としている。
【００１２】
請求項５記載の発明は、請求項４記載の感光性記録媒体において、前記凹部の形成に除去された前記感光性記録媒体の質量が、前記ＲＦＩＤの質量と前記凹部を封止している前記樹脂の質量との和にほぼ等しいことを特徴としている。
【００１３】
請求項６記載の発明は、請求項４記載の感光性記録媒体において、前記中心穴を中心として前記凹部の反対側にディスクインバランス調整用の錘を設けたことを特徴としている。
【００１４】
請求項７記載の発明は、感光性記録媒体用カートリッジ係り、円板状記録媒体を回転自在に収容できて前記円板状記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、を備える感光性記録媒体用カートリッジの中に請求項１〜６のいずれか１項記載の感光性記録媒体を収納したことを特徴としている。
【００１５】
請求項８記載の発明は、請求項７記載の感光性記録媒体用カートリッジにおいて、前記カートリッジ本体の内部に別のＲＦＩＤを備えたことを特徴としている。
【００１６】
請求項９記載の発明は、感光性記録媒体用記録再生装置に係り、前記感光性記録媒体用カートリッジを収納して、前記シャッタを開放して前記ディスクを回転させながら前記記録層の記録再生を行う感光性記録媒体用記録再生装置において、前記ＲＦＩＤに近接させて前記ＲＦＩＤの読み取り装置を設置したことを特徴としている。
【発明の効果】
【００１７】
このように構成することにより、請求項１記載の発明によれば、前記記録エリアと前記記録媒体外縁との間にある非記録領域にＲＦＩＤを埋設したので、感光性記録媒体自体の情報を簡単に知ることができて、他の感光性記録媒体から識別することができるようになると共に、読み取り装置の設置位置がディスクの表裏どちら側に置いても、スピンドルモータが邪魔とならないので設置位置の自由度がひろがる。
【００１８】
また、請求項２記載の発明によれば、凹部内にＲＦＩＤを埋設したので、ＲＦＩＤがディスク表面から出っ張らなくなり、ディスクカートリッジとの間隔を狭めることが出来、薄いディスクカートリッジが可能となる。勿論、凹部の容積を変えることにより回転したときのディスクインバランス調整になる。
【００１９】
また、請求項３記載の発明によれば、ＲＦＩＤの埋設された残りの空間の少なくとも一部を樹脂で封止したので、ＲＦＩＤの汚れ、脱落、湿気から防がれる。
また、請求項４記載の発明によれば、封止用の樹脂の比重を感光性記録媒体の素材の比重よりも小さいものを使うことにより、ＲＦＩＤの質量分を感光性記録媒体の素材の質量と樹脂の質量との差に等しくすることが可能となり、ディスクインバランスの問題を解消することが可能となる。
【００２０】
また、請求項５記載の発明によれば、前記凹部の形成に除去された前記感光性記録媒体の質量が、前記ＲＦＩＤの質量と前記凹部を封止している前記樹脂の質量との和にほぼ等しくしているので、ＲＦＩＤを取り付けていない状態になり、ディスクインバランスの問題が解消する。
【００２１】
また、請求項６記載の発明によれば、中心穴を中心として前記凹部の反対側にディスクインバランス調整用の錘を設けることで、ディスクインバランスの問題を簡便に解決できる。
【００２２】
また、請求項７記載の発明によれば、感光性記録媒体用カートリッジの中に請求項１〜６のいずれか１項記載の感光性記録媒体を収納したので、感光性記録媒体の遮光が完全となると共に、感光性記録媒体自体の情報を簡単に知ることができて、他の感光性記録媒体から識別することができるようになる。
【００２３】
請求項８記載の発明によれば、カートリッジ本体の内部に別のＲＦＩＤを備えたので、感光性記録媒体の遮光が完全となると共に、感光性記録媒体自体の情報およびカートリッジ自体の情報を簡単に知ることができて、他の製品から識別することができセキュリティ対策になる。
【００２４】
また、請求項９記載の発明によれば、ディスクを回転させるスピンドルモータのある側とは反対の側に前記ＲＦＩＤの読み取り装置を設置したので、片面型のディスクの場合、モータ等が記録再生の邪魔にならなくなる。
【発明を実施するための最良の形態】
【００２５】
以下、本発明の実施形態を図面に基づいて詳しく説明する。
図１は、本発明に係る感光性記録媒の中心穴近傍を示す斜視図である。
図において、４は感光性記録媒体、４ｔ1は感光性記録媒体４の中心穴（φ＝１５ｍｍ）、４ｔ3はクランプエリア（φ＝２２〜３３ｍｍ）、４ｔ5は記録エリア（φ＝４４〜１２０ｍｍ）である。したがって、何もないエリア４ｔ4がクランプエリア４ｔ3と記録エリア４ｔ5との間に１１ｍｍの幅で中心穴を中心にして３６０度囲む範囲にできている。
【００２６】
本発明では感光性記録媒体自体の情報を記録するＲＦＩＤをディスクに搭載することによって、他の感光性記録媒体から識別できるようにするもので、そのために、このエリア４ｔ4 にＲＦＩＤ２００を取り付けるようにしている。その場合、このエリア４ｔ4 に剥き出しに露出させるのではなくて、エリア４ｔ4 に凹部４ｈを設け、凹部４ｈの中にＲＦＩＤ２００を埋め込むようにしている。
【００２７】
このようにすることによって、従来使用していなかった領域にＲＦＩＤ２００とコイル２１０とを設けたので、従来のディスクのレイアウトに何ら変更を加える必要がない。また、ＲＦＩＤ２００を凹部に埋めたので、カートリッジとの間隔に従来と変わることがなく、従来通り薄いディスクカートリッジが可能となる。また、露出取り付けの場合、ＲＦＩＤ２００を取り付けた部位がＲＦＩＤの自重分だけ重くなってディスクインバランスの問題が生じるのを、同じ部位に凹部を作ってその部位の基板部材を除去することにより、バランスの問題が軽減される。
【００２８】
図２はＲＦＩＤの自重分の補償方法を説明する断面図である。
（ａ）は感光性記録媒体４に凹部を設けるために、感光性記録媒体４から一部を除去した局面を示している。除去された凹部分の記録媒体材質の質量Ｗｋ分だけ軽くなっており、ディスクの直径の反対側ぼ部位とに重量のアンバランスが生じている。
（ｂ）は感光性記録媒体４に設けられた凹部にＲＦＩＤを取り付けた局面を示している。ここではＲＦＩＤを取り付けたことにより、凹部はＲＦＩＤの質量ＷＲ分だけ、（ａ）の場合と比べてより重くなった。
そこで凹部部位の記録媒体の質量ＷｋをＲＦＩＤの質量ＷＲに等しくすることにより、ＲＦＩＤを取り付ける前のアンバランスのない状態にすることができる。
（ｃ）はＲＦＩＤを取り付けた凹部空間の少なくとも一部を樹脂で封止した状態を示している。これによりＲＦＩＤの汚れ、脱落、湿気から防がれる。
この場合のインバランス調整は、さらに、樹脂の質量ＷＪ分に相当する記録媒体材質の質量の容積を、（ｂ）の凹部より増やした凹部にすればよい。
一方、（ｄ）は（ｃ）のような考慮をしない場合で、凹部を充分広くとってないため、これだと、樹脂ＷＪの表面が記録媒体の表面から盛り上がってしまい、好ましくない。
【００２９】
また、上記のようにしてディスクインバランスの問題が解決できるが、その他、中心穴を中心として凹部の反対側にディスクインバランス調整用の錘を埋め込むことで、ディスクインバランスの問題を簡便に解決することもできる。
【００３０】
次に、ＲＦＩＤが本発明により埋め込まれた感光性記録媒体の構成および機能について説明する。
図３はＲＦＩＤ付感光性記録媒体とその記録再生装置の概念斜視図（ａ）とそれぞれのブロック図（ｂ）を示している。
図３に示すように、ＲＦＩＤ２００はＲＦ（無線周波数）回路２０１と変調回路２０２と復調回路２０３と電源回路２０４とＣＰＵ２０５とこれに接続された光ディスク４の固有情報を記憶するメモリ２０６を有する。
電源回路２０４は図示しないコンデンサを内蔵しており、このコンデンサはコイル２１０とともに共振回路を形成する。コンデンサにはコイル２１０が特定の共振周波数の電波を受信したときにその電磁誘導で生じる電力が充電される。
電源回路２０４はこの電力を整流し安定化してＣＰＵ２０５に供給し、ＲＦＩＤ２００を活性化する。メモリ２０６はＲＯＭ、ＲＡＭ、及びＥＥＰＲＯＭを含み、ＣＰＵ２０５の制御の下で電波のデータ通信による読出しコマンドに応じて記憶されたデータの読出しを行うとともに、記録再生装置からの書込みコマンドに応じてデータの書込みが行われる。
【００３１】
図３に示すように、ＲＦＩＤ２００からデータの読出しを行う記録再生装置１００にはアンテナ１１０が接続され、その内部には、バッテリを内蔵する電源回路１０４とＲＦ（無線周波数）回路１０１と変調回路１０２と復調回路１０３と、ＣＰＵ１０５と、メモリ１０６と、ディスプレー１０７と、入力装置１０８とを備えている。
【００３２】
この記録再生装置１００は、アンテナ１１０を介して光ディスク４のコイル２１０に特定周波数の電波を送信してＲＦＩＤ２００を活性化し、かつそのＲＦＩＤ２００のメモリ２０６に対してデータの再生を行い、またその再生情報をコイル２１０からアンテナ１１０を介して受信して、光ディスク４を識別して、その光ディスク４の持つ記録情報をメモリ１０６をから読み出し、ディスプレー１０７に表示させる。
オペレータはディスプレー１０７の表示内容を見ながら必要な追加情報を入力装置１０８を使ってメモリ１０６に記録するとともにＲＦＩＤ２００のメモリ２０６に対しても記録することができる。必要な情報としては、例えば、その光ディスク４の固有情報である記録データのタイトル、種別、内容、記憶時間、光記録開始の位置等がある。
【００３３】
感光性記録媒体用記録再生装置は、このような感光性記録媒体に対応できるように、上記のように、ＲＦ（無線周波数）回路１０１、変調回路１０２、復調回路１０３、電源回路１０４、アンテナ１１０を備えている。そして、感光性記録媒体を回転させるスピンドルモータを備えているが、ＲＦＩＤがクランプエリアの近傍に設けられているとスピンドルモータが障害になるので、片面型の感光性記録媒体の場合、ＲＦＩＤの読み取り装置はスピンドルモータ側とは反対の側の感光性記録媒体に設置する等の設置自由度が狭まるが、本発明ではＲＦＩＤをディスクの外縁側に取り付けるようにしたので、ＲＦＩＤの読み取り装置はディスクの表裏どちら側にも設置してよく、設置自由度が広がる。
【００３４】
なお、ＲＦＩＤのタグは、ラベル型、カード型、コイン型、スティック型など様々な形状があり、通信距離も数ｍｍ程度のものから数ｍのものがあり、用途、デイスクの寸法、記録再生装置の構成に応じて適選択することができる。
さらに、このような感光性記録媒体を次に示す遮光性カートリッジの中に収納することで、感光性記録媒体の遮光が完全となると共に、ＲＦＩＤにより感光性記録媒体自体の情報を簡単に知ることができるようになる。
【００３５】
図４は、本発明に係る感光性記録媒体を内蔵して遮光性をもたせたカートリッジの構成を示す分解斜視図である。
カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００３６】
第１シェル２５と第２シェル２６には、記録ディスク４の中心部４ａと記録面４ｂとを外部に露呈させる内部開口１８および１９がそれぞれ設けられている。
【００３７】
第２シェル２６の上に感光性記録媒体４を載せ、第１シェル２５を第２シェル２６の上面に重ね合わせ、超音波溶着によって第１シェル２５と第２シェル２６とを強固に接合することで、両者の合せ目に隙間が開くようなことはない。
【００３８】
第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００３９】
遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００４０】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００４１】
遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
遮光板１２がカートリッジ本体１１の外側に取り付けられると、第１シェル２５及び第２シェル２６のピン５０が穴４９に挿入され、遮光板１２の表面から突出される。
【００４２】
シャッタ１３は、遮光性を有する薄板を略コ字形状となるように屈曲させたシャッタ部材５５と、このシャッタ部材５５に取り付けられる細長い板状のスライド部材５６とからなる。
【００４３】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４４】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。
【００４５】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。
【００４６】
スライド部材５６の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている。
【００４７】
シャッタ１３は、シャッタバネにより閉じ方向に付勢されている。シャッタバネは、例えば、捩じりコイルバネからなり、その両端は、スライド部材５６と、第１シェル２５の内面とに係止されている。
スライド部材５６には、被操作部５６ｄに隣接して矩形孔形状の被ロック溝５６ｅが形成されている。
【００４８】
さらに、本発明により、カートリッジ本体の内部にも、別のＲＦＩＤを備えることにより、カートリッジ自体の情報を簡単に知ることができて、他のカートリッジから識別することができセキュリティ対策になる。
そのため、図４に示すように、感光性記録媒体用カートリッジ２は、カートリッジ本体１１の内部に、ＲＦＩＤ８１を備えている。ＲＦＩＤ８１には、第２シェル２６の内側の面に突出された支持リブ８２に取り付けられている。このＲＦＩＤに、データを記憶させ、上記のように電波で読み取り装置と交信することで、アンテナ側からの非接触電力伝送技術により、電池を持たない半永久的に利用可能となり、ドライブの内部の遮光された暗室内でも読み取り及び書き込みが可能である。このため、例えば、ＲＦＩＤに記録されたソフトウェアを不正にコピーした模倣品と識別でき、特定のコードを記録することによって、真正品と模倣品とを識別することができる。ＲＦＩＤは、カートリッジ本体１１に組み込まれているため、取り扱い時には使用者に特に新たな作業が加担されることなく、今までと同じ取り扱いをすることで識別情報の書き込み及び読み込みを行うことができるため使い勝手が良い。
【００４９】
なお、このＲＦＩＤに書き込む情報に関して、上記の情報を含めて次のような情報を書き込んでおくと便利である。
（１）ＲＦＩＤにアドレス情報を書き込んでおく。
このアドレス情報を基に、次回記録する場所を探すことが出来るので、迅速に探すことができるようになる。すなわち、ホログラム記録媒体はライトワンス記録媒体であるので、ホログラム記録媒体の中にディスク情報（次回記録する記録場所のアドレス情報）を書き込む従来の方式では、更新されたディスク情報を記録更新毎に同じ位置に記録することができず、前回のディスク情報を記録していた場所の隣の場所に更新のディスク情報を追記していくので、次回記録する場所のアドレス番号を知るには、ディスク情報の最初の書き込み場所からスタートしてその記録エリアを逐次追って最終の書き込み場所まで進み、その次に記録がないことを知って初めて現時点で記録されている場所のアドレス番号が判る（したがって、次回記録すべき場所がこれから判る）から、最新のディスク情報を得るまでには相当長い時間がかかった。そこで、ＲＦＩＤには常に同じ場所に最新のディスク情報を書き込むことができるので、上記欠点が解決できる。
【００５０】
（２）ＲＦＩＤの記録内容を記録媒体にも記録させておく。
ＲＦＩＤは使い易い反面、破損の恐れも考えられるので、ＲＦＩＤに記録した内容を逆に記録媒体にも記録させておき、できれば改竄されないように、定着させて、バックアップとして永久保存するのが好ましい。
【００５１】
（３）ＲＦＩＤの上記（１）のアドレス情報と記録媒体の記録が不一致とならないようにさせておく。ＲＦＩＤにアドレス情報を書き込むタイミングと記録媒体のそのアドレスに記録がなされるタイミングとは常に一致しているわけではなく（もちろん一致させるのが望ましいが、現実には困難）、いずれかが先に行われ、次いでもう一方が行われることになる。その場合、先に行われた時点と次いでもう一方が記録完了する時点との間に停電等の不慮の事故が発生して記録プロセスが停止してしまった場合、ＲＦＩＤのアドレス情報と記録媒体の記録が不一致となってしまう。これを回避するために、ＲＦＩＤには、記録媒体に記録開始するアドレスを書き込む開始アドレス格納場所と記録完了したアドレスを書き込む完了アドレス格納場所とを設けておき、両方の格納場所のアドレスが一致したときにＲＦＩＤの上記（１）のアドレス情報と記録媒体の記録が一致していると判る。両方が一致しない場合は、事故発生とし、再度両方の書き込みを行わせる。
【００５２】
（４）ＲＦＩＤのタグのＩＤ番号とカートリッジ（記録媒体でも可）のＩＤ番号をＲＦＩＤに記録しておき、それらをリンクさせてセキュリティを調べることで、記録媒体の記録内容の改竄を防止することができる。
【００５３】
（５）さらに、ハードウエア（記録再生装置）のＩＤ番号をＲＦＩＤに記録しておき、上記（４）に加えて、ハードウエアのＩＤ番号とのすべてが一致したとき、記録ができるようにしておく。
【００５４】
（６）エラーレートの情報をＲＦＩＤに記録しておく。
記録時にエラーが発生したときの情報をＲＦＩＤに記録しておくようにすると、例えば、記録媒体のどの部分の記録時にエラー発生が多いかを後で追跡調査することができ、その原因を解明するのに役立つ。
【００５５】
（７）ローディング（追記）の回数をＲＦＩＤに記録しておく。
ライトワンス記録媒体は何回も追記できるものではないので、何回ローディングしたかを記録しておくと、以後のローディングの参考にすることができる。
【００５６】
（８）定着回数をＲＦＩＤに記録しておく。
ホログラム記録媒体は記録したあと、１回光を記録部分に当てて定着させているが、この定着は記録部分のみに光が当たる（ようにしているが、実際はそのようになる）わけではなく、ランプ光が漏れて記録媒体の全面に広がることとなり、したがって定着回数がある程度を超すと、記録しないようにしている。そのためにこの定着回数を知ることは有効である。
【００５７】
（９）記録媒体の仕様をＲＦＩＤに記録しておく。
記録媒体の仕様である、厚さ、記録速度、直径、送りピッチ等をＲＦＩＤに記録しておくと、これにより所望の数値がＲＦＩＤから瞬時に得られるので便利である。
【００５８】
（１０）ＲＦＩＤ一般の情報等をＲＦＩＤに記録しておく。
ＲＦＩＤのＩＳＯ標準化規格や、各メーカー独自の特徴的な機能などをＲＦＩＤに記録しておくと、これにより所望情報がＲＦＩＤから得られるので便利である。
【００５９】
以上のように、本発明によれば、記録エリアと記録媒体外縁との間にある非記録領域にＲＦＩＤを埋設したので、感光性記録媒体自体の情報を簡単に知ることができて、他の感光性記録媒体から識別することができるようになると共に、読み取り装置の設置位置がディスクの表裏どちら側に置いても、スピンドルモータが邪魔とならないので設置位置の自由度がひろがる。
【図面の簡単な説明】
【００６０】
【図１】本発明に係る感光性記録媒の中心穴近傍を示す斜視図である。
【図２】ＲＦＩＤの自重分の補償方法を説明する断面図である。
【図３】ＲＦＩＤ付感光性記録媒体とその記録再生装置の概念斜視図（ａ）とそれぞれのブロック図（ｂ）を示している。
【図４】本発明に係る感光性記録媒体を内蔵したカートリッジの構成を示す分解斜視図である。
【符号の説明】
【００６１】
２  カートリッジ（感光性記録媒体用カートリッジ）
４  記録ディスク（感光性記録媒体、ホログラム記録媒体）
４ａ  感光性記録媒体の中心
４ｂ  感光性記録媒体の記録面
４ｈ  感光性記録媒体の凹部
１０  記録再生装置
１１  カートリッジ本体
１３  シャッタ
８１、１００  ＲＦＩＤ
１０１  ＲＦ（無線周波数）回路
１０２  変調回路
１０３  復調回路
１０４  電源回路
１０５  ＣＰＵ
１０６  メモリ
１０７  ディスプレー
１０８  入力装置
１１０  アンテナ
２００  ＲＦＩＤ
２０１  ＲＦ（無線周波数）回路
２０２  変調回路
２０３  復調回路
２０４  電源回路
２０５  ＣＰＵ
２０６  メモリ
２１０  アンテナ
【図１】
2007087522.tif 000003
【図２】
2007087522.tif 000004
【図３】
2007087522.tif 000005
【図４】
2007087522.tif 000006